(57)【要約】【課題】  フォトディテクタバランスのばらつきを抑制して光学性能に優れた光学装置を提供する。【解決手段】  フレキシブル配線基板１の素子設置エリア４を第１領域４１と第２領域４５とに区画する。第１領域４１の点接合箇所として、配線引廻しエリア２の根元部分ホと、仮想縦断線Ｙを挟む両側の１箇所ずつの側縁部ヘ，トとの３点を選択する。第２領域４５の点接合箇所として、仮想横断線Ｘを挟んで配線引廻しエリア２の根元部分ホの反対側に位置する対向縁部チの１点を選択する。点接合箇所に同一量の接着剤６を塗布する。【選択図】        図１
2005317090.tif 000002
【特許請求の範囲】
【請求項１】
配線引廻しエリアの端部に光学素子を搭載した素子設置エリアが連設されているフレキシブル配線基板の上記素子設置エリアが光学台に接着剤で接合されている光学装置において、
フレキシブル配線基板の上記素子設置エリアを、上記光学素子の搭載箇所を横切る仮想横断線を境にして、上記配線引廻しエリアとの連設箇所を含む第１領域とその第１領域を挟んで上記配線引廻しエリアの反対側に位置する第２領域とに区画し、上記第１領域の周縁部と上記第２領域の周縁部とを個別に上記光学台に接着剤で点接合してあり、
第１領域の点接合箇所が、上記配線引廻しエリアと上記素子設置エリアとの連設箇所である配線引廻しエリアの根元部分と、その配線引廻しエリアの根元部分と上記光学素子の搭載箇所とを縦断する仮想縦断線を挟む両側の１箇所ずつの側縁部との３点だけに定められ、
第２領域の点接合箇所が、上記仮想横断線を挟んで上記配線引廻しエリアの根元部分の反対側に位置する対向縁部の１点だけに定められ、
第１領域及び第２領域のそれぞれの点接合箇所に同一量の接着剤が塗布されていることを特徴とする光学装置
【請求項２】
配線引廻しエリアの端部に光学素子を搭載した素子設置エリアが連設されているフレキシブル配線基板の上記素子設置エリアが光学台に接着剤で接合されている光学装置において、
フレキシブル配線基板の上記素子設置エリアを、上記光学素子の搭載箇所を横切る仮想横断線を境にして、上記配線引廻しエリアとの連設箇所を含む第１領域とその第１領域を挟んで上記配線引廻しエリアの反対側に位置する第２領域とに区画し、上記第１領域の周縁部と上記第２領域の周縁部とを個別に上記光学台に接着剤で点接合してあって、第１領域の点接合箇所の数を第２領域の点接合箇所の数よりも多くしてあることを特徴とする光学装置。
【請求項３】
第１領域の点接合箇所に、上記配線引廻しエリアと上記素子設置エリアとの連設箇所である配線引廻しエリアの根元部分が含まれている請求項２に記載した光学装置。
【請求項４】
第２領域の点接合箇所に、上記仮想横断線を挟んで上記配線引廻しエリアの根元部分の反対側に位置する対向縁部が含まれている請求項３に記載した光学装置。
【請求項５】
第１領域の点接合箇所に、配線引廻しエリアの根元部分と上記光学素子の搭載箇所とを縦断する仮想縦断線を挟む両側に位置する少なくとも１箇所ずつの側縁部が含まれている請求項４に記載した光学装置。
【請求項６】
上記仮想縦断線の片側に位置する側縁部が凹入形状に形成されている請求項５に記載した光学装置。
【請求項７】
第１領域及び第２領域のそれぞれの点接合箇所に同一量の接着剤が塗布されている請求項２ないし請求項６のいずれか１項に記載した光学装置。
【発明の詳細な説明】
【技術分野】
【０００１】
本発明は、光学装置、特に光学素子を搭載したフレキシブル配線基板が接着剤で光学台に接合されている光学装置に関する。
【背景技術】
【０００２】
光学素子、特にフォトディテクタ（光検出器）は、それが用いられる光学装置に形成される光軸に光学中心部を正確に位置決めしておくことが要求される。この要求に対処するために、従来より、フォトディテクタを搭載したフレキシブル配線基板を光学台に取り付けるための対策が種々提案されている（たとえば特許文献１、特許文献２、特許文献３参照）。
【０００３】
特許文献１は、光検知器などの機能素子を搭載したフレキシブルプリントサーキットの所定箇所を屈曲状態に折り曲げておくことによって、ヘッドベースに接着剤で接合されている光検知器の搭載箇所に応力が発生することを防いでいる。
【０００４】
特許文献２及び特許文献３は、信号ケーブルに搭載されたフォトディテクタを固定ブロックに取り付ける場合に、フォトディテクタを取り付けた板状の支持部材を固定ブロックに固着するという技術を提案している。
【０００５】
一方、本願発明者は、フォトディテクタ１を搭載したフレキシブル配線基板を紫外線硬化型の接着剤を用いて光学台に多点で接合することを試みた。図２はフレキシブル配線基板１の点接合パターンを説明的に示している。同図のフレキシブル配線基板１は、帯状に形成された２条の配線引廻しエリア２，３の各端部に、中央部にフォトディテクタ５が搭載された１つの素子設置エリア４が連設されていて、素子設置エリア４は、その全体形状が略菱形ないし略矩形に形成されている。そして、素子設置エリア４の周囲４箇所イ，ロ，ハ，ニのそれぞれを紫外線硬化型の接着剤６を用いて点接合してある。また、接着剤６を塗布した４箇所イ，ロ，ハ，ニのうち、素子設置エリア４の対辺方向で対向している箇所イとハ、ロとニのそれぞれは、フォトディテクタ５の搭載箇所を挟んで反対側に位置していて、それぞれの箇所イ，ロ，ハ，ニでは接着剤６を素子設置エリア４の縁部とその外側の光学台７の表面とに跨がる形態で塗布してある。さらに、上記４箇所イ，ロ，ハ，ニは、素子設置エリア４の形状を勘案した上で、その素子設置エリア４を確実に光学台７に接合することのできる４箇所を選択することによって決定しており、その４箇所イ，ロ，ハ，ニからは、配線引廻しエリア２，３と素子設置エリア４との連設箇所である配線引廻しエリアの根元部分ホが除外されている。
【特許文献１】特開平６−２５１４０６号公報
【特許文献２】特開平５−２７３４４９号公報
【特許文献３】特開平６−３６２９４号公報
【発明の開示】
【発明が解決しようとする課題】
【０００６】
ところが、図２で説明したように、素子設置エリア４の周囲４箇所イ，ロ，ハ，ニのそれぞれを紫外線硬化型の接着剤６を用いて点接合した場合、フレキシブル配線基板１の素子設置エリア４を確実に光学台７に接合することができるものではあるけれども、フォトディテクタ５の位置精度に影響が及ぶような次の事項が知見された。
【０００７】
すなわち、フレキシブル配線基板１の配線引廻しエリア２，３に押圧方向又は引張り方向のテンションが加わった場合、そのテンションによる影響が素子設置エリア４に及んでフォトディテクタ５が微小変位して位置ずれし、そのようなフォトディテクタ５の微小変位が原因になって光学装置に形成される光軸に対してフォトディテクタ５の光学中心部が位置ずれするという所謂フォトディテクタバランスのばらつきを発生するということが知見された。また、本願発明者がフォトディテクタバランスのばらつきについて鋭意調査を行ったところ、このフォトディテクタバランスのばらつきは、図２に示した光学素子５の搭載箇所を横切る仮想横断線Ｘに沿う方向（Ｘ軸方向）と、配線引廻しエリア２，３の根元部分と光学素子５の搭載箇所とを縦断する仮想縦断線Ｙに沿う方向（Ｙ軸方向）との互いに直交する２軸方向において発生することを見い出した。
【０００８】
一方、このような配線引廻しエリア２，３に加わったテンションの影響によってフォトディテクタ５が微小変位してフォトディテクタバランスのばらつきを発生するという現象は、特許文献２及び特許文献３に見られるような技術、すなわち、フォトディテクタを取り付けた板状の支持部材を固定ブロックに固着するという技術によっては到底改善されない。
【０００９】
本発明は以上の状況に鑑みてなされたものであり、フレキシブル配線基板の素子設置エリアを光学台に接着剤で接合する場合に、配線引廻しエリアに加わったテンションの影響が光学素子を搭載した素子設置エリアに及びにくくなる点接合パターンを提案することによってフォトディテクタバランスのばらつきを抑制し、もって、光学性能に優れた光学装置を提供することを目的とする。
【課題を解決するための手段】
【００１０】
本発明に係る光学装置は、配線引廻しエリアの端部に光学素子を搭載した素子設置エリアが連設されているフレキシブル配線基板の上記素子設置エリアが光学台に接着剤で接合されている。そして、フレキシブル配線基板の上記素子設置エリアを、上記光学素子の搭載箇所を横切る仮想横断線を境にして、上記配線引廻しエリアとの連設箇所を含む第１領域とその第１領域を挟んで上記配線引廻しエリアの反対側に位置する第２領域とに区画し、上記第１領域の周縁部と上記第２領域の周縁部とを個別に上記光学台に接着剤で点接合してあって、第１領域の点接合箇所の数を第２領域の点接合箇所の数よりも多くしてある。
【００１１】
この構成の光学装置において、フレキシブル配線基板の素子設置エリアでは、配線引廻しエリアに加わるテンションの影響が第１領域を経て第２領域に及ぶようになる。そのため、この考案のように、第１領域の点接合箇所の数を第２領域の点接合箇所の数よりも多くしてあると、配線引廻しエリアに加わるテンションの影響が第１領域で抑制されて第２領域に及びにくくなるので、全体として素子設置エリアに及ぶ上記テンションの影響が軽微になり、フォトディテクタバランスのばらつきが抑制される。
【００１２】
本発明では、第１領域の点接合箇所に、上記配線引廻しエリアと上記素子設置エリアとの連設箇所である配線引廻しエリアの根元部分が含まれていることが望ましく、この構成であると、配線引廻しエリアに加わるテンションが配線引廻しエリアの根元部分を点接合している接着剤により受け止められて素子設置エリアがそのテンションの影響を受けにくくする。この場合、第２領域の点接合箇所に、上記仮想横断線を挟んで上記配線引廻しエリアの根元部分の反対側に位置する対向縁部が含まれている構成を併せて採用すると、素子設置エリアが配線引廻しエリアの根元部分とその反対側の対向縁部とで点接合されるため、素子設置エリアが上記仮想横断線の両側で位置ずれしないように光学台に接合されることになる。そのため、上記仮想横断線に直交する方向でのフォトディテクタバランスのばらつきが効果的に抑制される。
【００１３】
本発明では、第１領域の点接合箇所に、配線引廻しエリアの根元部分と上記光学素子の搭載箇所とを縦断する仮想縦断線を挟む両側に位置する少なくとも１箇所ずつの側縁部が含まれていることが望ましい。これによると、素子設置エリアが、仮想縦断線の両側で位置ずれしないように光学台に接合されるので、上記仮想縦断線に直交する方向（仮想横断線に沿う方向）でのフォトディテクタバランスのばらつきが効果的に抑制される。
【００１４】
本発明では、上記仮想縦断線の片側に位置する側縁部が凹入形状に形成されている場合にも適用することが可能であり、そのような凹入形状の側縁部を点接合しておくと、側縁部の凹入形状によって引き起こされるフォトディテクタバランスのばらつきが抑制されることになる。
【００１５】
本発明では、第１領域及び第２領域のそれぞれの点接合箇所に同一量の接着剤が塗布されていることが望ましい。この発明によれば、素子設置エリアを光学台に接着剤で多点接合する際の作業性が向上する。
【００１６】
本発明の光学装置は、配線引廻しエリアの端部に光学素子を搭載した素子設置エリアが連設されているフレキシブル配線基板の上記素子設置エリアが光学台に接着剤で接合されている光学装置において、フレキシブル配線基板の上記素子設置エリアを、上記光学素子の搭載箇所を横切る仮想横断線を境にして、上記配線引廻しエリアとの連設箇所を含む第１領域とその第１領域を挟んで上記配線引廻しエリアの反対側に位置する第２領域とに区画し、上記第１領域の周縁部と上記第２領域の周縁部とを個別に上記光学台に接着剤で点接合してあり、第１領域の点接合箇所が、上記配線引廻しエリアと上記素子設置エリアとの連設箇所である配線引廻しエリアの根元部分と、その配線引廻しエリアの根元部分と上記光学素子の搭載箇所とを縦断する仮想縦断線を挟む両側の１箇所ずつの側縁部との３点だけに定められ、第２領域の点接合箇所が、上記仮想横断線を挟んで上記配線引廻しエリアの根元部分の反対側に位置する対向縁部の１点だけに定められ、第１領域及び第２領域のそれぞれの点接合箇所に同一量の接着剤が塗布されている、という構成を採用することによっていっそう具体化される。そして、この発明によると、素子設置エリアを光学台に４点の接合箇所を介して接合しておくことが可能になり、しかも、フォトディテクタバランスのばらつきが抑制される。
【発明の効果】
【００１７】
本発明によれば、フォトディテクタバランスのばらつきが抑制されて光学性能に優れた光学装置を提供することが可能になる。このような光学装置は、たとえばＤＶＤなどのディスク装置の光ピックアップとして用いることが可能である。
【発明を実施するための最良の形態】
【００１８】
図１は本発明に係る光学装置についてのフレキシブル配線基板１の点接合パターンを示した説明図である。
【００１９】
図１のフレキシブル配線基板１の形状及び大きさは、図２で説明したフレキシブル配線基板１の形状及び大きさと同一であって、帯状に形成された２条の配線引廻しエリア２，３の各端部に、中央部にフォトディテクタ５が搭載された１つの素子設置エリア４が連設されていて、素子設置エリア４は、その全体形状が略菱形ないし略矩形に形成されている。
【００２０】
この実施形態を、図１で説明したものと対比すると、接着剤６による点接合箇所が変更されているだけである。すなわち、この実施形態では、フレキシブル配線基板１の素子設置エリア４を、フォトディテクタ５の搭載箇所を横切る仮想横断線Ｘを境にして、配線引廻しエリア２，３との連設箇所を含む第１領域４１とその第１領域４１を挟んで配線引廻しエリア２，３の反対側に位置する第２領域４５とに区画してあり、その上で、第１領域４１の点接合箇所として、片側の配線引廻しエリア２と素子設置エリア４との連設箇所である配線引廻しエリア２の根元部分ホと、その配線引廻しエリア２の根元部分ホと光学素子５の搭載箇所とを縦断する仮想縦断線Ｙ（上記仮想横断線Ｘに直交している）を挟む両側の１箇所ずつの側縁部ヘ，トとの３点だけを選択しているのに対し、第２領域４５の点接合箇所として、上記仮想横断線Ｘを挟んで配線引廻しエリア２の根元部分ホの反対側に位置する対向縁部チの１点だけを選択している。そして、第１領域４１及び第２領域４５のそれぞれの点接合箇所には同一量、具体的には１１．０ｍｇの接着剤を塗布してある。なお塗布量の誤差を±０．２ｍｇとしてある。また、それぞれの点接合箇所を接合している接着剤は所定の大きさの楕円形状に成形されている。
【００２１】
また、図１で判るように、配線引廻しエリア２の根元部分ホは、その根元部分ホを横切ってその根元部分ホの両側の光学台７の表面に塗布した接着剤６によって接合されている。また、素子設置エリア４の第１領域４１において、仮想縦断線Ｙの片側に位置する側縁部トが凹入形状に形成されていて、その側縁部トは、凹入部分を埋めるように塗布した接着剤６によって接合されている。
【００２２】
以上のように、この実施形態では、素子設置エリア４の第１領域４１が、配線引廻しエリア２の根元部分ホと仮想縦断線Ｙを挟む両側の１箇所ずつの側縁部ヘ，トとの３点で接合されているのに対し、第２領域４５が対向縁部チの１点で接合されているので、第１領域４１の点接合箇所の数が第２領域４５の点接合箇所の数よりも多くなっている。そのため、配線引廻しエリア２に加わる押圧方向ａ又は引張り方向ｂのテンションの影響が、第１領域４１の３箇所の点接合箇所によって受け止められて第２領域４５に及びにくくなっている。
【００２３】
特に、第１領域４１の点接合箇所に、配線引廻しエリアの根元部分ホが含まれているために、配線引廻しエリア２に加わる上記テンションがその根元部分ホを点接合している接着剤６により受け止められて素子設置エリア４の全体がそのテンションの影響を受けにくくなる。しかも、第２領域４５の点接合箇所に、配線引廻しエリア２の根元部分ホの反対側に位置する対向縁部チが含まれているために、素子設置エリア４が配線引廻しエリア２の根元部分ホとその反対側の対向縁部チとで点接合されて素子設置エリア４が仮想横断線Ｘの両側で位置ずれしないように光学台７に接合されている。このため、仮想横断線Ｘに直交する方向（仮想縦断線Ｙに沿う方向）でのフォトディテクタバランスのばらつきが抑制される。
【００２４】
さらに、第１領域４１の点接合箇所には、上記仮想縦断線Ｙを挟む両側に位置する１箇所ずつの側縁部ヘ，トが含まれているので、素子設置エリア４１が、仮想縦断線Ｙの両側で位置ずれしないように光学台７に接合されている。これにより、仮想縦断線Ｙに直交する方向（仮想横断線Ｘに沿う方向）でのフォトディテクタバランスのばらつきが抑制される。しかも、第１領域４１の片側の側縁部トは凹入形状になっている箇所であって、そのような凹入形状の側縁部トを点接合しておくことによって、側縁部トの凹入形状によって引き起こされるフォトディテクタバランスのばらつきも抑制されることになる。
【００２５】
また、この実施形態では、素子設置エリア４をその周囲の４点で光学台７に接合してることにより、その素子設置エリア４が確実に光学台７に接合されている。
【００２６】
この実施形態において、他側の配線引廻しエリア３はその根元部分リが点接合されていないので、その根元部分リでは、配線引廻しエリア３に加わるテンションを受け止める作用が発揮されない。しかし、片側の配線引廻しエリア２の根元部分ホを点接合している接着剤６が、配線引廻しエリア２に加わるテンションを受け止める作業を発揮することにより、配線引廻しエリア３に加わるテンションの影響が素子設置エリア４に及ぶのを抑制する作用を発揮する。なお、必要があれば、他側の配線引廻しエリア３はその根元部分リを仮想線で示したように接着剤６で光学台７に点接合しておいてもよい。
【００２７】
この実施形態では、素子設置エリア４の第１領域４１を３点で点接合し、その第２領域４５を１点で接合してあるけれども、第１領域４１や第２領域４５の点接合箇所の数は、第２領域４５の点接合箇所の数が第１領域４１の点接合箇所の数と同じ数又はそれより多くならない範囲で、増大させることが可能である。
【図面の簡単な説明】
【００２８】
【図１】本発明に係る光学装置についてのフレキシブル配線基板の点接合パターンを示した説明図である。
【図２】比較例に係る光学装置についてのフレキシブル配線基板の点接合パターンを示した説明図である。
【符号の説明】
【００２９】
１  フレキシブル配線基板
２  配線引廻しエリア
４  素子設置エリア
５  フォトディテクタ（光学素子）
６  接着剤
７  光学台
４１  第１領域
４５  第２領域
ホ  配線引廻しエリアの根元部分
ヘ，ト  側縁部
チ  対向縁部
Ｘ  仮想横断線
Ｙ  仮想縦断線
【図１】
2005317090.tif 000003
【図２】
2005317090.tif 000004